【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  見出し語とその意味内容からなる辞書を記憶した辞書部と、
入力された文字列を見出し語として辞書部を検索する検索部と、
検索結果である単語を選択的に登録する単語登録部と、
単語毎の検索回数を監視し、検索結果である単語が前記単語登録部に未登録であり、かつ所定回数以上検索されていることを判断する判断部と、
前記判断部による判断に基づき単語登録部への登録を喚起するメッセージを出力するメッセージ出力部と、
ユーザー指示に基づいて検索結果である単語を前記単語登録部に登録する制御部と、
を備えたことを特徴とする電子辞書。
【請求項２】  前記判断部は単語毎の検索回数とマーカー位置を記憶する文字列記憶部を含み、当該マーカー位置に応じて検索結果にマーカーを付与して表示する請求項１記載の電子辞書。
【請求項３】  前記判断部はマーカーの形状を記憶するマーカー記憶部を含み、前記検索回数に対応したマーカーの形状に変更して表示する請求項２記載の電子辞書。
【手続補正２】
【補正対象書類名】明細書
【補正対象項目名】００１１
【補正方法】変更
【補正の内容】
【００１１】
【課題を解決するための手段】
この発明は、見出し語とその意味内容からなる辞書を記憶した辞書部と、入力された文字列を見出し語として辞書部を検索する検索部と、検索結果である単語を選択的に登録する単語登録部と、単語毎の検索回数を監視し、検索結果である単語が前記単語登録部に未登録であり、かつ所定回数以上検索されていることを判断する判断部と、前記判断部による判断に基づき単語登録部への登録を喚起するメッセージを出力するメッセージ出力部と、ユーザー指示に基づいて検索結果である単語を前記単語登録部に登録する制御部と、を備えたことを特徴とする電子辞書を提供するものである。
ここで、前記判断部は単語毎の検索回数とマーカー位置を記憶する文字列記憶部を含み、当該マーカー位置に応じて検索結果にマーカーを付与して表示するようにしてもよい。
また、前記判断部はマーカーの形状を記憶するマーカー記憶部を含み、前記検索回数に対応したマーカーの形状に変更して表示するようにしてもよい。
これによれば、検索しようとした文字列について所定のメッセージを表示しているので、電子辞書の利用者に検索又は単語登録に関する注意を喚起すると共に、電子辞書の操作性を向上できる。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
そして、判断部が、入力された文字列に対応する前記単語登録部の登録状態が未登録であり、かつその文字列の検索回数が所定数を超えている場合に、メッセージ記憶部に記憶された単語登録を喚起するメッセージを表示部に表示させるものである。
これによれば、単語登録がされていない文字列についての検索回数が増加した場合、単語登録を促すようなメッセージを表示させることにより、利用者にとって検索しようとした文字列の習得度が悪いことを示唆し、学習の動機付けを与えることができる。
【手続補正５】
【補正対象書類名】明細書
【補正対象項目名】００１４
【補正方法】変更
【補正の内容】
【００１４】
ここで、ある文字列について単語登録をするということは、利用者にとってその文字列を理解することが重要であることを意味し、何度も検索されるということは、その文字列の習得度が低いと考えられる。
すなわち、単語登録は、利用者の迅速な理解を補助するために実施されるものである。また、単語登録処理は、従来の辞書によく利用する単語の読みを登録するのと同様の操作により行えばよい。
【手続補正６】
【補正対象書類名】明細書
【補正対象項目名】００１５
【補正方法】変更
【補正の内容】
【００１５】
また、入力された文字列に対応する前記単語登録部の登録状態が単語登録有であり、かつその文字列の検索回数が所定数以下の場合、前記判断部が、メッセージ記憶部に記憶された単語登録がすでにされている旨のメッセージを表示部に表示させるようにしてもよい。
これによれば、登録がすでに行われている旨を利用者に提供できるので、すでに単語登録されているが、その登録後であっても検索が行なわれた文字列について学習に対する注意を喚起できる。
【手続補正７】
【補正対象書類名】明細書
【補正対象項目名】００１６
【補正方法】変更
【補正の内容】
【００１６】
また、この発明は、単語毎の検索回数とマーカー位置を記憶する文字列記憶部を含み、マーカー位置に応じて検索結果にマーカーを付与して表示するようにしてもよい。
これによれば、検索する文字列の意味内容の領域内で、特定の文字部分にマーカーが付加されて表示されるので、検索する文字列に対して真に理解又は記憶すべき重要な部分にマーカーを付加するよう予め設定しておけば、利用者の学習効果を高めることが可能である。
【手続補正８】
【補正対象書類名】明細書
【補正対象項目名】００１８
【補正方法】変更
【補正の内容】
【００１８】
マーカーを付加すべき位置を特定する位置情報とは、意味内容の中の先頭文字位置を基準とした位置情報で表わすことができ、例えば先頭文字から数えた文字数を利用することができる。マーカーを付加すべき位置が、複数の文字列からなる場合は、その文字列の最初の文字の位置情報をマーカー開始点とし、その文字列の最後の文字の位置情報をマーカー終了点として記憶すればよい。
【手続補正９】
【補正対象書類名】明細書
【補正対象項目名】００１９
【補正方法】変更
【補正の内容】
【００１９】
また、この発明は、マーカーの形状を記憶するマーカー記憶部を含み、前記検索回数に対応したマーカーの形状に変更して表示するようにしてもよい。
これによれば、マーカー登録がすでにされている文字列について検索回数が多く、理解が遅いと考えられる場合に、そのマーカーの形状を変化させることができるので、学習進度の遅い文字列について学習を促進できる。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２４
【補正方法】変更
【補正の内容】
【００２４】
文字列検索部２は、入力された文字列と一致可能な見出し語が、辞書部５の中にあるか否か検索する部分であり、主としてＣＰＵにより実現される。
表示部３は、入力された文字列や検索結果等を表示する部分であり、ＣＲＴ、ＬＣＤ、ＥＬなどの表示装置を用いればよい。
設定部９は、記憶部４に記憶された情報のうち、予め設定しておくべき情報を設定する部分であり、具体的には後述するマーカー記憶部６、文字列状態記憶部７、メッセージ記憶部１０に記憶される情報を設定する部分である。
【手続補正１４】
【補正対象書類名】明細書
【補正対象項目名】００５９
【補正方法】変更
【補正の内容】
【００５９】
【発明の効果】
この発明によれば、検索文字列の検索回数が所定数を超えた場合において、単語登録を喚起するメッセージを表示するので、利用者に文字列の学習のための注意を与えることができ、利用者の使い勝手と活用効率を向上できる。
【手続補正１５】
【補正対象書類名】明細書
【補正対象項目名】００６０
【補正方法】変更
【補正の内容】
【００６０】
また、検索文字列の見出し語ではなく、その検索文字列の意味内容の中で予め設定された部分にマーカーを付与して表示するので、真に理解すべき部分が強調されて利用者に喚起することができ、より学習効果を高めることができる。